(57)【要約】【課題】全体をゴムまたは樹脂の皮膜によって一体に形成するというゴム手袋のメリットを活かしながら、蒸れ感の軽減効果に優れるとともに着脱性にも優れ、しかも装着時に違和感を生じないゴム手袋と、その製造方法とを提供する。【解決手段】  ゴム手袋１は、甲側に、複数の手指部３の先端部からそれぞれ袖口６に達するように、前記ゴム手袋を形成する皮膜５を外方へ膨出させて、装着した手との間に連続した空間８を構成しうる連続した凸条部７を設けた。製造方法は、前記ゴム手袋の立体形状に対応し、かつ前記凸条部に対応する位置に、その断面形状に対応した断面形状を有する凹溝部１０を設けた型を用いて、浸漬法によって、前記ゴム手袋を形成する皮膜を形成するとともに、前記皮膜を、表裏を逆転させて型から脱型する工程を含む。【選択図】図１
2013189727.tif 000002
【特許請求の範囲】
【請求項１】
略筒状の袖部と、前記袖部の一端に連なる、複数の手指部を備えた手袋本体とが、ゴムまたは樹脂の皮膜によって一体に形成され、かつ前記袖部の他端が袖口として開口されたゴム手袋であって、前記ゴム手袋の甲側には、前記複数の手指部の先端部からそれぞれ袖口に達して前記袖口で外部に開口された連続した空間を構成するための、前記皮膜を前記ゴム手袋の外面より外方へ膨出させてなる、連続した凸条部が形成されていることを特徴とするゴム手袋。
【請求項２】
前記凸条部は、その長さ方向と直交方向の断面形状が略矩形状、またはゴム手袋側よりも先端部側の幅が小さい略台形状とされているとともに、前記先端部側の幅ＷＵＧが５ｍｍ以上、１２ｍｍ以下、ゴム手袋側の幅ＷＢＧが
ＷＵＧ≦ＷＢＧ≦ＷＵＧ＋３ｍｍ      (1)
の範囲内で、かつ前記ゴム手袋の外面から先端面までの膨出高さＨＧが７ｍｍ以上、２０ｍｍ以下である請求項１に記載のゴム手袋。
【請求項３】
前記ゴム手袋の全体形状に対応した立体形状を有する型を用いて、浸漬法によって前記請求項２に記載のゴム手袋を製造するための製造方法であって、前記型として、その甲側の、前記複数の手指部の先端部からそれぞれ袖口に達する領域に、前記型の外面より内側へ凹入させた、長さ方向と直交方向の断面形状が略矩形状、または前記外面側よりも底部側の幅が小さい略台形状とされているとともに、前記底部側の幅ＷＵＦが５ｍｍ以上、１２ｍｍ以下、外面側の幅ＷＢＦが
ＷＵＦ≦ＷＢＦ≦ＷＵＦ＋３ｍｍ      (2)
の範囲内で、かつ前記外面から底面までの凹入深さＨＦが７ｍｍ以上、２０ｍｍ以下である連続した凹溝部を備えたものを用い、前記型の表面に形成したゴムまたは樹脂の皮膜を、表裏を反転させて前記型から脱型させることにより、前記凹溝部の内面に沿って形成した皮膜をゴム手袋の外面から外方へ膨出させて凸条部を形成する工程を含むことを特徴とするゴム手袋の製造方法。
【発明の詳細な説明】
【技術分野】
【０００１】
本発明は、全体がゴムまたは樹脂の皮膜によって一体に形成されたゴム手袋と、前記ゴム手袋の製造方法とを提供することにある。
【背景技術】
【０００２】
一般家庭や工場、あるいは医療現場といった様々な場面において人の手肌を保護したり、食中毒や感染症等を防止したり、あるいは取り扱う対象物（半導体や精密機器等）を手肌の皮脂等から保護したりするために、特に全体がゴムまたは樹脂の皮膜によって一体に形成されたゴム手袋（樹脂製のものも一般にこのように呼ばれていることから、以下ではゴム製、樹脂製を総称して「ゴム手袋」とする）が広く用いられる。
【０００３】
前記ゴム手袋は、いわゆる浸漬法によって製造するのが一般的である。
例えば全体がゴムの皮膜によって一体に形成されたゴム手袋を製造する場合は、まずゴムのラテックスに加硫剤等の各種添加剤を配合して未加硫もしくは前加硫状態の、液状のラテックス組成物を調製する。また、前記ゴム手袋の立体形状に対応した例えば陶器製の型を用意し、その表面を凝固剤（主に硫酸カルシウム水溶液）で処理する。
【０００４】
次いで、前記ラテックス組成物中に前記型を一定時間に亘って浸漬したのち引き上げることで、当該型の表面にラテックス組成物を付着させる。
そして引き上げた型ごと加熱してラテックス組成物を乾燥させるとともにゴムを加硫させるか、あるいは一旦乾燥させた後に型ごと加熱してゴムを加硫させたのち脱型させることにより、全体がゴムの皮膜によって一体に形成されたゴム手袋が製造される。
【０００５】
また、全体が樹脂の皮膜によって一体に形成されたゴム手袋は、前記ゴムのラテックスを含むラテックス組成物に代えて、樹脂のエマルションに各種添加剤を配合して調製したラテックス組成物（厳密にはラテックスではないが、便宜上、ゴムのラテックスを含むものに合わせてこのように記載する）を用いること以外は前記と同様にして製造することができる。
【０００６】
前記ゴム手袋に求められる性能は、まず第１に手を保護することであるが、近年はニーズの多様化により、できるだけユーザーの感性に応える性能を有することも求められるようになってきている。
特に、使用時の不快感をなくすことと、着脱の容易さが求められている。
すなわち、前記ゴムや樹脂の連続した皮膜は透湿性や吸湿性を有さないため、前記ゴム手袋を長時間装着していると、汗によって手が蒸れたりべたついたりする、いわゆる蒸れ感を生じるという問題があり、その解消が課題の一つである。
【０００７】
また、前記汗によってゴム手袋の内側が手に貼り付いて脱ぎにくくなるという問題もあり、その解消が、もう一つの課題である。
例えば袖口を持って、ゴム手袋を裏返しながら手から引き剥がすようにすれば、比較的容易に脱ぐことができるが、裏返したゴム手袋を元に戻すための手間がかかる。これを嫌うユーザーは、各指ごとに指先から引っ張りながらゴム手袋を脱ぐ場合が多いが、その際、ゴム手袋の内部、特にその最奥に位置する指先に空気が十分に入らない状態で無理に引っ張っても、手にゴム手袋が貼り付いて却って脱ぐのに手間がかかることになる。
【０００８】
これらの問題を解決するため、例えば特許文献１においては、ゴム手袋の内部への通気手段として、柔軟な紐状体、パイプ状体、突起物、または発泡体を、前記ゴム手袋の内部に配置することが記載されている。
しかし、かかる構造では前記紐状体等の別部品が必要であるため、製造が容易でしかもコスト安価に製造できるというゴム手袋のメリットが損なわれてしまい、生産性が低下してコストが高くつくという問題がある。また装着時に、前記紐状体等がゴム手袋と手の間に介在するため違和感を生じやすいという問題もある。
【０００９】
特許文献２には、ゴム手袋の手首部分を太くし、かつ指先から袖口にかけて縦ヒダを設けるとともに、前記手首部の縦ヒダの内側にパイプを貼り付けることで、ゴム手袋内への通気を確保しながら、前記手首部をゴムひもで締めて脱げないようにすることが記載されている。
しかし、かかる構造でも、やはりパイプやゴムひも等の別部品が必要であるため、製造が容易でしかもコスト安価に製造できるというゴム手袋のメリットが損なわれてしまい、生産性が低下してコストが高くつくという問題がある。また装着時に、パイプがゴム手袋と手の間に介在するため違和感を生じやすいという問題もある。
【先行技術文献】
【特許文献】
【００１０】
【特許文献１】特開２００４−３６０６０号公報
【特許文献２】特開平８−２８４００７号公報
【発明の概要】
【発明が解決しようとする課題】
【００１１】
本発明の目的は、全体をゴムまたは樹脂の皮膜によって一体に形成するというゴム手袋のメリットを活かしながら、蒸れ感の軽減効果に優れるとともに着脱性にも優れ、しかも装着時に違和感を生じないゴム手袋と、その製造方法とを提供することにある。
【課題を解決するための手段】
【００１２】
本発明は、略筒状の袖部と、前記袖部の一端に連なる、複数の手指部を備えた手袋本体とが、ゴムまたは樹脂の皮膜によって一体に形成され、かつ前記袖部の他端が袖口として開口されたゴム手袋であって、前記ゴム手袋の甲側には、前記複数の手指部の先端部からそれぞれ袖口に達して前記袖口で外部に開口された連続した空間を構成するための、前記皮膜を前記ゴム手袋の外面より外方へ膨出させてなる、連続した凸条部が形成されていることを特徴とするものである。
【００１３】
本発明によれば、ゴム手袋に、当該ゴム手袋を構成するゴムまたは樹脂の皮膜それ自体を手の甲側において、その外面より外方へ膨出させて、連続した凸条部を形成することにより、前記ゴム手袋を手に装着した際に、当該手と、前記凸条部を形成するゴムまたは樹脂の皮膜との間に、複数の手指部の先端部からそれぞれ袖口に達して、当該袖口で外部に開口された連続した空間を構成することができる。
【００１４】
そのため汗などの湿気を、前記空間を通して袖口からゴム手袋の外部に逃がすことができ、当該ゴム手袋内の蒸れ感を大幅に軽減することができる。
また、例えば各指ごとに指先から引っ張りながらゴム手袋を脱ぐ際に、前記空間を通して、それぞれの指先まで十分に空気を供給することができる。そのため、前記のようにゴム手袋内の蒸れ感を軽減して手とのべたつきを少なくできることと相まって、従来に比べて脱ぎ易くすることもできる。
【００１５】
しかも前記空間は、前記のようにゴム手袋を構成するゴムまたは樹脂の皮膜それ自体を、手の甲側において、その外面より外方へ膨出させて、前記ゴム手袋と一体に形成されるため、別部品を必要とせず、製造が容易でしかもコスト安価に製造できるというゴム手袋のメリットを十分に活かすこともできる。
その上、装着時にゴム手袋と手の間に介在する別部品が存在しないため違和感を生じるおそれもない。
【００１６】
前記本発明のゴム手袋において、前記凸条部は、その長さ方向と直交方向の断面形状が略矩形状、またはゴム手袋側よりも先端部側の幅が小さい略台形状とされているとともに、前記先端部側の幅ＷＵＧが５ｍｍ以上、１２ｍｍ以下、ゴム手袋側の幅ＷＢＧが
ＷＵＧ≦ＷＢＧ≦ＷＵＧ＋３ｍｍ      (1)
の範囲内で、かつ前記ゴム手袋の外面から先端面までの膨出高さＨＧが７ｍｍ以上、２０ｍｍ以下であるのが好ましい。
【００１７】
凸条部の断面を前記略矩形状もしくは略台形状とするとともに、各部の寸法を前記範囲内とすることにより、ゴム手袋を装着して作業をする際や前記ゴム手袋を脱ぐ際等に、凸条部が潰れて空間が塞がれるのを防止して、前記作業時にゴム手袋内の蒸れ感が高まったり、脱ぎにくくなったりするのをさらに確実に防止することができる。
本発明は、前記ゴム手袋の全体形状に対応した立体形状を有する型を用いて、浸漬法によって、前記本発明のゴム手袋を製造するための製造方法であって、前記型として、その甲側の、前記複数の手指部の先端部からそれぞれ袖口に達する領域に、前記型の外面より内側へ凹入させた、長さ方向と直交方向の断面形状が略矩形状、または前記外面側よりも底部側の幅が小さい略台形状とされているとともに、前記底部側の幅ＷＵＦが５ｍｍ以上、１２ｍｍ以下、外面側の幅ＷＢＦが
ＷＵＦ≦ＷＢＦ≦ＷＵＦ＋３ｍｍ      (2)
の範囲内で、かつ前記外面から底面までの凹入深さＨＦが７ｍｍ以上、２０ｍｍ以下である連続した凹溝部を備えたものを用い前記型の表面に形成したゴムまたは樹脂の皮膜を、表裏を反転させて前記型から脱型させることにより、前記凹溝部の内面に沿って形成した皮膜をゴム手袋の外面から外方へ膨出させて凸条部を形成する工程を含むことを特徴とするものである。
【００１８】
本発明によれば、前記凹溝部を形成した型を用いるとともに、形成した皮膜を、表裏を反転させて脱型させること以外は従来同様に、浸漬法によって、前記本発明のゴム手袋を効率よく製造することができる。
【発明の効果】
【００１９】
本発明によれば、全体をゴムまたは樹脂の皮膜によって一体に形成するというゴム手袋のメリットを活かしながら、蒸れ感の軽減効果に優れるとともに着脱性にも優れ、しかも装着時に違和感を生じないゴム手袋と、その製造方法とを提供することができる。
【図面の簡単な説明】
【００２０】
【図１】本発明のゴム手袋の、実施の形態の一例の外観を示す斜視図である。
【図２】前記例のゴム手袋の、１つの指部を拡大して示す甲側から見た正面図である。
【図３】前記指部の、凸条部の長さ方向と直交方向、すなわち図２のIII−III線方向の断面を示す断面図である。
【図４】前記ゴム手袋を、本発明の製造方法によって製造するために使用する型のうち指部の、凹溝部の長さ方向と直交方向の断面を示す断面図である。
【発明を実施するための形態】
【００２１】
図１は、本発明のゴム手袋の、実施の形態の一例の外観を示す斜視図である。また図２は、前記図１の例のゴム手袋の、１つの指部を拡大して示す甲側から見た正面図である。さらに図３は、前記指部の、凸条部の長さ方向と直交方向、すなわち図２のIII−III線方向の断面を示す断面図である。
図１〜図３を参照して、この例のゴム手袋１は、略筒状の袖部２と、前記袖部２の一端に連なる、複数の手指部３を備えた手袋本体４とを、ゴムまたは樹脂の皮膜５によって一体に形成するとともに、前記袖部２の他端を、袖口６として開口してなるものである。
【００２２】
前記ゴム手袋１の甲側には、当該ゴム手袋１を構成するゴムまたは樹脂の皮膜５それ自体を、手の甲側において前記ゴム手袋１の外面より外方へ膨出させて、連続した５本の凸条部７が形成されている。
これにより、前記ゴム手袋１を手（図示せず）に装着した際に、当該手と、前記凸条部７を形成するゴムまたは樹脂の皮膜５との間に、各手指部３の先端部からそれぞれ袖口６に達して、当該袖口６で外部に開口された連続した空間８を構成することができる。
【００２３】
そのため汗などの湿気を、前記空間８を通して袖口６からゴム手袋１の外部に逃がすことができ、当該ゴム手袋１内の蒸れ感を大幅に軽減することができる。
また、例えば各指ごとに手指部３を指先から引っ張りながらゴム手袋１を脱ぐ際に、前記空間８を通して、それぞれの指先まで十分に空気を供給することができる。そのため、前記のようにゴム手袋１内の蒸れ感を軽減して手とのべたつきを少なくできることと相まって、従来に比べて脱ぎ易くすることもできる。
【００２４】
しかも前記空間８は、前記のようにゴム手袋１を構成するゴムまたは樹脂の皮膜５それ自体を、手の甲側において、その外面より外方へ膨出させて、前記ゴム手袋１と一体に形成されるため、別部品を必要とせず、製造が容易でしかもコスト安価に製造できるというゴム手袋１のメリットを十分に活かすこともできる。
その上、装着時にゴム手袋１と手の間に介在する別部品が存在しないため違和感を生じるおそれもない。
【００２５】
前記凸条部７は、その長さ方向と直交方向の断面形状が略矩形状、またはゴム手袋１側よりも先端部側の幅が小さい略台形状とされているとともに、前記袖口６から各手指部３の途中までは、前記先端部側の幅ＷＵＧが５ｍｍ以上、１２ｍｍ以下、ゴム手袋側の幅ＷＢＧが
ＷＵＧ≦ＷＢＧ≦ＷＵＧ＋３ｍｍ      (1)
の範囲内で、かつ前記ゴム手袋の外面から先端面までの膨出高さＨＧが７ｍｍ以上、２０ｍｍ以下であるのが好ましい。
【００２６】
凸条部７の断面を前記略矩形状もしくは略台形状とするとともに、各部の寸法を前記範囲内とすることにより、後述する実施例の結果からも明らかなように、ゴム手袋１を装着して作業をする際や前記ゴム手袋１を脱ぐ際等に、凸条部７が潰れて空間８が塞がれるのを防止して、前記作業時にゴム手袋１内の蒸れ感が高まったり、脱ぎにくくなったりするのをさらに確実に防止することができる。
【００２７】
また図の例では、前記凸条部７の、各手指部３の途中から指先側において、前記幅ＷＵＧ、ＷＢＧ、および膨出高さＨＧが、それぞれ徐々に小さくされている。
これにより、指先での細かい作業が前記凸条部７によって妨げられるのを防止して、この例のゴム手袋１を装着した状態での作業性を向上することができる。
前記ゴム手袋１の全体を構成する皮膜５の厚みは特に限定されないが、薄肉で柔軟性に優れ、指先の細かい作業等にも適すること、すなわち作業性に優れることと、前記ゴム手袋１に十分な強度を持たせることとを併せ考慮すると、０．４ｍｍ以上、４ｍｍ以下であるのが好ましい。
【００２８】
また、前記ゴム手袋１は、前記良好な作業性、および強度を両立させること等を考慮すると、皮膜５が非多孔質構造であるのが好ましいが、前記皮膜５を多孔質構造としてもよい。皮膜５を多孔質構造とするためには、以下に説明する浸漬法に使用するラテックス組成物を起泡させればよい。
前記例のゴム手袋１は、従来同様に浸漬法によって製造することができる。中でも、凸条部７の断面形状が略矩形状または略台形状で、かつ各部の寸法が前記範囲内であるゴム手袋１は、下記本発明の製造方法によって製造することができる。
【００２９】
図４は、前記ゴム手袋を、かかる本発明の製造方法によって製造するために使用する型のうち指部の、凹溝部の長さ方向と直交方向の断面を示す断面図である。
図４を参照して、本発明の製造方法においては、前記浸漬法に使用する型９として、図示していないが、前記ゴム手袋１の全体形状に対応した立体形状を有するとともに、その甲側の、前記複数の手指部３の先端部からそれぞれ袖口６に達する領域に、前記型９の外面より内側へ凹入させた、長さ方向と直交方向の断面形状が略矩形状、または前記外面側よりも底部側の幅が小さい略台形状とされているとともに、前記底部側の幅ＷＵＦが５ｍｍ以上、１２ｍｍ以下、外面側の幅ＷＢＦが
ＷＵＦ≦ＷＢＦ≦ＷＵＦ＋３ｍｍ      (2)
の範囲内で、かつ前記外面から底面までの凹入深さＨＦが７ｍｍ以上、２０ｍｍ以下である連続した凹溝部１０を備えたものを用意する。
【００３０】
前記型９は、例えば陶器等によって一体に形成することができる。
前記凹溝部１０の断面を前記略矩形状もしくは略台形状とするとともに各部の寸法を前記範囲内とすると、前記型９の表面に形成したゴムまたは樹脂の皮膜を、表裏を反転させて前記型９から脱型させることで、前記凹溝部１０の内面に沿って形成した皮膜をゴム手袋１の外面から外方へ膨出させて、先に説明した所定の断面形状、および寸法を有する凸条部７を形成することができる。
【００３１】
本発明の製造方法は、前記型９を使用すること以外は、従来同様に実施することができる。
すなわち図１〜図４を参照して、まず前記型９の、前記凹溝部１０の内面を含む表面の略全面を、凝固剤（主に硫酸カルシウム水溶液）で処理する。また全体がゴムの皮膜５によって一体に形成されたゴム手袋１を製造する場合は、ゴムのラテックスに加硫剤等の各種添加剤を配合して未加硫もしくは前加硫状態の、液状のラテックス組成物を調製する。
【００３２】
次いで、前記ラテックス組成物中に前記型９を一定時間に亘って浸漬したのち引き上げることで、当該型９の表面にラテックス組成物を付着させたのち、引き上げた型９ごと加熱してラテックス組成物を乾燥させるとともにゴムを加硫させるか、あるいは一旦乾燥させた後に型９ごと加熱してゴムを加硫させてゴムの皮膜５を形成する。
そして形成した皮膜５を、表裏を反転させて前記型９から脱型させることにより、先に説明したように、前記凹溝部１０の内面に沿って形成した皮膜５をゴム手袋１の外面から外方へ膨出させて凸条部７を形成し、ゴム手袋１を製造することができる。
【００３３】
また、全体が樹脂の皮膜によって一体に形成されたゴム手袋は、前記ゴムのラテックスを含むラテックス組成物に代えて、樹脂のエマルションに各種添加剤を配合して調製したラテックス組成物を用いること以外は前記と同様にして製造することができる。
ゴムを含むラテックス組成物は、従来同様に、ゴムのラテックスに加硫剤等の各種添加剤を配合して調製される。
【００３４】
前記ゴムとしては天然ゴム、および合成ゴムの中からラテックス化が可能な種々のゴムがいずれも使用可能であり、かかるゴムとしては、例えば天然ゴム、脱蛋白天然ゴム、アクリロニトリル−ブタジエンゴム（ＮＢＲ）、スチレン−ブタジエンゴム（ＳＢＲ）、クロロプレンゴム（ＣＲ）等の１種または２種以上が挙げられる。
前記ゴムを加硫させる加硫剤としては硫黄や有機含硫黄化合物等が挙げられる。特に硫黄が好ましい。前記加硫剤の配合割合は、ゴムラテックス中のゴム分（固形分）１００質量部あたり０．５質量部以上、３質量部以下であるのが好ましい。
【００３５】
前記ゴムおよび加硫剤を含むラテックス組成物中には、さらに加硫促進剤、熱安定剤、加硫促進助剤、老化防止剤、充填剤、界面活性剤、増粘剤、発泡剤、可塑剤、着色剤等の各種添加剤を配合してもよい。
このうち加硫促進剤としては、例えばＰＸ（Ｎ−エチル−Ｎ−フェニルジチオカルバミン酸亜鉛）、ＰＺ（ジメチルジチオカルバミン酸亜鉛）、ＥＺ（ジエチルジチオカルバミン酸亜鉛）、ＢＺ（ジブチルジチオカルバミン酸亜鉛）、ＭＺ（２−メルカプトベンゾチアゾールの亜鉛塩）、ＴＴ（テトラメチルチウラムジスルフィド）等の１種または２種以上が挙げられる。
【００３６】
前記加硫促進剤の配合割合は、ゴムラテックス中のゴム分１００質量部あたり０．５質量部以上、３質量部以下であるのが好ましい。
加硫促進助剤としては、例えば亜鉛華（酸化亜鉛）、および／またはステアリン酸等が挙げられる。前記加硫促進助剤の配合割合は、ゴムラテックス中のゴム分１００質量部あたり０．５質量部以上、３質量部以下であるのが好ましい。
【００３７】
老化防止剤としては、一般に非汚染性のフェノール類が好適に用いられるが、アミン類を使用してもよい。前記老化防止剤の配合割合は、ゴムラテックス中のゴム分１００質量部あたり０．５質量部以上、３質量部以下であるのが好ましい。
充填剤としては、例えばカオリンクレー、ハードクレー、炭酸カルシウム、酸化チタン等の１種または２種以上が挙げられる。前記充填剤の配合割合は、ゴムラテックス中のゴム分１００質量部あたり１質量部以上、１０質量部以下であるのが好ましい。
【００３８】
界面活性剤は、前記各種添加剤をゴムラテックス中に良好に分散させるために配合されるものであり、前記界面活性剤としては、例えば陰イオン系界面活性剤等の１種または２種以上が挙げられる。前記界面活性剤の配合割合は、ゴムラテックス中のゴム分１００質量部あたり０．３質量部以上、１質量部以下であるのが好ましい。
また樹脂を含むラテックス組成物は、従来同様に、樹脂のエマルションに各種添加剤を配合して調製される。
【００３９】
前記樹脂としては、ウレタン系樹脂、硬化性アクリル系樹脂等の、エマルション化が可能な熱硬化性樹脂の１種または２種以上が挙げられる。
前記樹脂を含むラテックス組成物中には、さらに熱安定剤、老化防止剤、充填剤、界面活性剤、増粘剤、発泡剤、可塑剤、着色剤等の各種添加剤を配合してもよい。
このうち老化防止剤としては、先に例示した非汚染性のフェノール類やアミン類等の１種または２種以上が挙げられる。前記老化防止剤の配合割合は、樹脂エマルション中の樹脂分（固形分）１００質量部あたり０．５質量部以上、３質量部以下であるのが好ましい。
【００４０】
充填剤としては、前記例示の充填剤の１種または２種以上が挙げられる。前記充填剤の配合割合は、樹脂エマルション中の樹脂分１００質量部あたり１質量部以上、１０質量部以下であるのが好ましい。
界面活性剤としては、前記例示の陰イオン系界面活性剤等の１種または２種以上が挙げられる。前記界面活性剤の配合割合は、樹脂エマルション中の樹脂分１００質量部あたり０．３質量部以上、１質量部以下であるのが好ましい。
【００４１】
またラテックス組成物には、前記ウレタン系樹脂等を硬化反応させるための架橋剤、硬化剤等を、適宜の割合で配合してもよい。
【実施例】
【００４２】
〈実施例１〉
（ラテックス組成物の調製）
天然ゴムラテックスに、下記表１に示す各成分を配合して２日間熟成させた後、軟水を加えて固形分濃度を４５質量％に調整してラテックス組成物を調製した。なお表中の各成分の質量部は、天然ゴムラテックス中のゴム分（固形分）１００質量部あたりの質量部とした。
【００４３】
【表１】
2013189727.tif 000003
【００４４】
（型の作製）
型９としては、全体が陶器製で、かつゴム手袋１の全体形状に対応した立体形状を有するとともに、その甲側に、図１〜図３に示す凸条部７に対応する、各手指部３の指先から、袖部２の袖口６まで達する複数の凹溝部１０（図４参照）を形成したものを用意した。前記凹溝部１０の、長さ方向と直交方向の断面形状は、外面側よりも底部側の幅が小さい略台形状、前記底部側の幅ＷＵＦは９ｍｍ、外面側の幅ＷＢＦは１０ｍｍ（＝ＷＵＦ＋１ｍｍ）で、かつ前記外面から底面までの凹入深さＨＦは１７ｍｍとした。
【００４５】
（ゴム手袋の製造）
前記型を、まず２０％硝酸カルシウム水溶液に浸漬し、引き上げたのち乾燥させることで、前記型の表面を凝固剤としての硝酸カルシウムによって処理した。
次に前記型を、液温を２５℃に保持したラテックス組成物に一定の速度で浸漬し、３０秒間保持したのち一定の速度で引き上げることで、前記型の表面にラテックス組成物を付着させた。
【００４６】
次いで引き上げた型を、１００℃に加熱したオーブン中に入れて５０分間加熱して乾燥させるとともに天然ゴムを架橋させ、次いでオーブンから取り出して冷却させたのち表裏を反転させて前記型から脱型した。
そして次亜塩素酸、塩酸、および水の混合液に浸漬して１５分間処理したのち、乾燥機内で３０分間乾燥させて、図１に示すようにその甲側に、各手指部３の指先から、袖部２の袖口６まで達する複数の凸条部７を備えたゴム手袋１を製造した。
【００４７】
前記凸条部７の、図３に示す長さ方向と直交方向の断面は、ゴム手袋側よりも先端部側の幅が小さい略台形状、前記先端部側の幅ＷＵＧは８ｍｍ、ゴム手袋側の幅ＷＢＧは９ｍｍで、かつ前記ゴム手袋の外面から先端面までの膨出高さＨＧは１５ｍｍであった。
〈実施例２〉
型９として、凹溝部１０の、長さ方向と直交方向の断面形状が略矩形状、前記底部側の幅ＷＵＦが８ｍｍ、外面側の幅ＷＢＦが８ｍｍ（＝ＷＵＦ）で、かつ前記外面から底面までの凹入深さＨＦが１０ｍｍであるものを用いたこと以外は実施例１と同様にして、図１に示すようにその甲側に、各手指部３の指先から、袖部２の袖口６まで達する複数の凸条部７を備えたゴム手袋１を製造した。
【００４８】
前記凸条部７の、図３に示す長さ方向と直交方向の断面は、ゴム手袋側よりも先端部側の幅が大きい逆台形状、前記先端部側の幅ＷＵＧは７ｍｍ、ゴム手袋側の幅ＷＢＧは８ｍｍで、かつ前記ゴム手袋の外面から先端面までの膨出高さＨＧは９ｍｍであった。
〈実施例３〉
型９として、凹溝部１０の、長さ方向と直交方向の断面形状が、外面側よりも底部側の幅が小さい略台形状、前記底部側の幅ＷＵＦが４ｍｍ、外面側の幅ＷＢＦが５ｍｍ（＝ＷＵＦ＋１ｍｍ）で、かつ前記外面から底面までの凹入深さＨＦが９ｍｍであるものを用いたこと以外は実施例１と同様にして、図１に示すようにその甲側に、各手指部３の指先から、袖部２の袖口６まで達する複数の凸条部７を備えたゴム手袋１を製造した。
【００４９】
前記凸条部７の、図３に示す長さ方向と直交方向の断面は略矩形状、前記先端部側の幅ＷＵＧは４ｍｍ、ゴム手袋側の幅ＷＢＧは４ｍｍで、かつ前記ゴム手袋の外面から先端面までの膨出高さＨＧは９ｍｍであった。
〈実施例４〉
型９として、凹溝部１０の、長さ方向と直交方向の断面形状が、外面側よりも底部側の幅が小さい略台形状、前記底部側の幅ＷＵＦが１４ｍｍ、外面側の幅ＷＢＦが１５ｍｍ（＝ＷＵＦ＋１ｍｍ）で、かつ前記外面から底面までの凹入深さＨＦが８ｍｍであるものを用いたこと以外は実施例１と同様にして、図１に示すようにその甲側に、各手指部３の指先から、袖部２の袖口６まで達する複数の凸条部７を備えたゴム手袋１を製造した。
【００５０】
前記凸条部７の、図３に示す長さ方向と直交方向の断面は、ゴム手袋側よりも先端部側の幅が小さい略台形状、前記先端部側の幅ＷＵＧは１３ｍｍ、ゴム手袋側の幅ＷＢＧは１４ｍｍで、かつ前記ゴム手袋の外面から先端面までの膨出高さＨＧは７ｍｍであった。
〈実施例５〉
型９として、凹溝部１０の、長さ方向と直交方向の断面形状が略矩形状、前記底部側の幅ＷＵＦが３ｍｍ、外面側の幅ＷＢＦが３ｍｍ（＝ＷＵＦ）で、かつ前記外面から底面までの凹入深さＨＦが６ｍｍであるものを用いたこと以外は実施例１と同様にして、図１に示すようにその甲側に、各手指部３の指先から、袖部２の袖口６まで達する複数の凸条部７を備えたゴム手袋１を製造した。
【００５１】
前記凸条部７の、図３に示す長さ方向と直交方向の断面は略矩形状、前記先端部側の幅ＷＵＧは３ｍｍ、ゴム手袋側の幅ＷＢＧは３ｍｍで、かつ前記ゴム手袋の外面から先端面までの膨出高さＨＧは５ｍｍであった。
〈実施例６〉
型９として、凹溝部１０の、長さ方向と直交方向の断面形状が略矩形状、前記底部側の幅ＷＵＦが３ｍｍ、外面側の幅ＷＢＦが３ｍｍ（＝ＷＵＦ）で、かつ前記外面から底面までの凹入深さＨＦが２２ｍｍであるものを用いたこと以外は実施例１と同様にして、図１に示すようにその甲側に、各手指部３の指先から、袖部２の袖口６まで達する複数の凸条部７を備えたゴム手袋１を製造した。
【００５２】
前記凸条部７の、図３に示す長さ方向と直交方向の断面は略矩形状、前記先端部側の幅ＷＵＧは３ｍｍ、ゴム手袋側の幅ＷＢＧは３ｍｍで、かつ前記ゴム手袋の外面から先端面までの膨出高さＨＧは２１ｍｍであった。
〈実施例７〉
型９として、凹溝部１０の、長さ方向と直交方向の断面形状が、外面側よりも底部側の幅が小さい略台形状、前記底部側の幅ＷＵＦが３ｍｍ、外面側の幅ＷＢＦが９ｍｍ（＝ＷＵＦ＋６ｍｍ）で、かつ前記外面から底面までの凹入深さＨＦが１０ｍｍであるものを用いたこと以外は実施例１と同様にして、図１に示すようにその甲側に、各手指部３の指先から、袖部２の袖口６まで達する複数の凸条部７を備えたゴム手袋１を製造した。
【００５３】
前記凸条部７の、図３に示す長さ方向と直交方向の断面は、ゴム手袋側よりも先端部側の幅が小さい略台形状、前記先端部側の幅ＷＵＧは３ｍｍ、ゴム手袋側の幅ＷＢＧは８ｍｍで、かつ前記ゴム手袋の外面から先端面までの膨出高さＨＧは１０ｍｍであった。
〈比較例１〉
型として凹溝部を有しないものを用いたこと以外は実施例１と同様にして、その甲側に凸条部を有しない通常のゴム手袋を製造した。
【００５４】
〈官能試験〉
１０名の被験者に、前記各実施例、比較例で製造したゴム手袋を装着してもらい、装着して１０分後の装着感を下記の５段階で評価してもらった。
Ａ：蒸れは全く感じられなかった。非常に快適。
Ｂ：蒸れは殆ど感じられなかった。快適。
【００５５】
Ｃ：蒸れが僅かに感じられたものの、実用レベル。
Ｄ：蒸れが感じられた。不快。
Ｅ：蒸れが強く感じられた。非常に不快。
また装着して１０分後に、前記ゴム手袋を、各指ごとに手指部を指先から引っ張りながら脱ぐ動作をしてもらい、その際の脱ぎやすさ、脱ぎにくさを下記の３段階で評価してもらった。
【００５６】
Ａ：全く抵抗を感じずに脱ぐことができた。
Ｂ：やや抵抗を感じたが、脱ぐことはできた。
Ｃ：抵抗が強く、脱ぐことができなかった。
以上の結果を表２、表３に示す。
【００５７】
【表２】
2013189727.tif 000004
【００５８】
【表３】
2013189727.tif 000005
【００５９】
表２、表３の実施例１〜７、比較例１の結果より、ゴム手袋の甲側に、当該ゴム手袋を装着した手との間に空間を構成する凸条部を設けることによって、装着時の蒸れ感を軽減するとともに、脱ぎやすくできることが判った。
また実施例１〜７の結果より、前記凸条部を潰れにくくして蒸れ感の軽減効果や脱ぎやすさをさらに向上することを考慮すると、前記凸条部の断面形状は略矩形状、またはゴム手袋側よりも先端部側の幅が小さい略台形状であるのが好ましいこと、前記先端部側の幅ＷＵＧは５ｍｍ以上、１２ｍｍ以下、ゴム手袋側の幅ＷＢＧは
ＷＵＧ≦ＷＢＧ≦ＷＵＧ＋３ｍｍ      (1)
の範囲内で、かつ前記ゴム手袋の外面から先端面までの膨出高さＨＧは７ｍｍ以上、２０ｍｍ以下であるのが好ましいことが判った。
【符号の説明】
【００６０】
１     ゴム手袋
２     袖部
３     手指部
４     手袋本体
５     皮膜
６     袖口
７     凸条部
８     空間
９     型
１０   凹溝部
【図１】
2013189727.tif 000006
【図２】
2013189727.tif 000007
【図３】
2013189727.tif 000008
【図４】
2013189727.tif 000009